(57)【特許請求の範囲】
【請求項１】
変速機に連結されて前記変速機をシフトするレバーと、前記レバーの側方に配置され前記レバーのシフト位置表示用の表示窓が設けられたインジケータプレートと、前記インジケータプレートの表示窓の裏面側に所定間隔離間して対向して位置し常に前記レバーに連動して移動して前記レバーのシフト位置を表示するマーク部材と、前記インジケータプレートの直下に配置され前記インジケータプレートへ光を照射するための光源を収容するライトボックスと、を備え、前記光源からの光を前記インジケータプレートによって部分的に反射しその反射光を前記マーク部材へ照射するシフトレバー装置の照明構造において、
前記マーク部材の直下に位置し前記ライトボックスの前記レバー側の側壁に傾斜して形成され、前記インジケータプレートによって反射される前記光源からの光のうち前記マーク部材へ照射される光以外の光を反射する反射壁を備え、直下に前記マーク部材が位置しない前記表示窓からの前記反射壁による反射光の漏出を防止した、
ことを特徴とするシフトレバー装置の照明構造。
【請求項２】
前記反射壁は下方へ向けて傾斜して形成された、ことを特徴とする請求項１記載のシフトレバー装置の照明構造。
【発明の詳細な説明】
【０００１】
【発明の属する技術分野】
本発明は、車両の変速機をシフトするシフトレバー装置の照明構造に関する。
【０００２】
【従来の技術】
車両の変速機をシフト操作するためのシフトレバー装置のうち、自動変速機に用いられるシフトレバー装置では、シフトレバーを操作することにより変速モード（レンジ）を選択（変更）するようになっている。また、シフトレバー装置のハウジングにはインジケータプレートが設けられており、選択された変速モードはこのインジケータプレートに設けられたシフト位置表示用の表示窓によって視認（確認）できる。
【０００３】
ここで、通常の場合、表示窓には光透過性（透明）の板材が取り付けられている。また、この表示窓の裏面側には赤色シール等が貼られたマーク部材が配設されており、マーク部材は表示窓と所定間隔離間して対向している。さらに、マーク部材は常にシフトレバーに連動して移動するようにされており、シフトレバーを操作すると各シフト位置に応じた表示窓の直下にマーク部材が位置し、これにより、赤色シール等が貼られたマーク部材が表示窓を介して外部から視認できるようになり、シフトレバーのシフト位置が表示される構成である。
【０００４】
また、インジケータプレートの直下にはランプ等の光源が配置されている。この光源はライトボックス内に収容されており、光源からの光をインジケータプレートによって部分的に反射してマーク部材に照射することにより、夜間でも表示窓からマーク部材を視認できる。
【０００５】
さらに、ライトボックスには遮光壁が一体に設けられている。この遮光壁はマーク部材の下方に位置しており、遮光壁はインジケータプレートによって反射された光のうちマーク部材へ照射される光以外の光がシフトレバーの下部方向へ漏れることを防止している。これにより、シフトレバーの下部近傍に設けられた内部機械が不要に照明されてマーク部材が位置しない他の表示窓からこの内部機械が見えることを防止できる。
【０００６】
しかしながら、このようなシフトレバー装置では、遮光壁がインジケータプレート（表示窓）に水平とされているため、インジケータプレートによって反射された光のうちマーク部材へ照射される光以外の光がさらに遮光壁によって反射され、これにより、直下にマーク部材が位置しない他の表示窓までもが照明されてマーク部材の照明がかすんでしまうという問題があった。
【０００７】
【発明が解決しようとする課題】
本発明は上記事実を考慮し、シフト位置表示用のマーク部材が直下に位置しない他の表示窓から不要に光が漏れ出すことを防止してマーク部材を鮮明に照明できるシフトレバー装置の照明構造を得ることが目的である。
【０００８】
【課題を解決するための手段】
請求項１に記載のシフトレバー装置の照明構造は、変速機に連結されて前記変速機をシフトするレバーと、前記レバーの側方に配置され前記レバーのシフト位置表示用の表示窓が設けられたインジケータプレートと、前記インジケータプレートの表示窓の裏面側に所定間隔離間して対向して位置し常に前記レバーに連動して移動して前記レバーのシフト位置を表示するマーク部材と、前記インジケータプレートの直下に配置され前記インジケータプレートへ光を照射するための光源を収容するライトボックスと、を備え、前記光源からの光を前記インジケータプレートによって部分的に反射しその反射光を前記マーク部材へ照射するシフトレバー装置の照明構造において、前記マーク部材の直下に位置し前記ライトボックスの前記レバー側の側壁に傾斜して形成され、前記インジケータプレートによって反射される前記光源からの光のうち前記マーク部材へ照射される光以外の光を反射する反射壁を備え、直下に前記マーク部材が位置しない前記表示窓からの前記反射壁による反射光の漏出を防止した、ことを特徴としている。
【０００９】
請求項１に記載のシフトレバー装置の照明構造によれば、光源からの光はインジケータプレートによって部分的に反射されその反射光がマーク部材へ照射される。このため、マーク部材が照明され夜間でもレバーのシフト位置が視認できる。
【００１０】
ここで、ライトボックスに一体に設けられた反射壁はインジケータプレートによって反射される光源からの光のうちマーク部材へ照射される光以外の光を反射するため、このマーク部材へ照射される光以外の光がレバーの下部方向へ漏れることを防止でき、これにより、レバーの下部近傍に設けられた内部機械が不要に照明されてこの内部機械が見えることを防止できる。
さらに、反射壁が傾斜して形成されているため、直下にマーク部材が位置しない表示窓から反射壁による反射光が漏れ出すことがなくマーク部材を鮮明に照明できる。
請求項２に記載のシフトレバー装置の照明構造は、請求項１に記載のシフトレバー装置の照明構造において、前記反射壁は下方へ向けて傾斜して形成された、ことを特徴としている。
請求項２に記載のシフトレバー装置の照明構造によれば、反射壁が下方へ向けて傾斜して形成されているため、直下にマーク部材が位置しない表示窓から反射壁による反射光が漏れ出すことがなくマーク部材を鮮明に照明できる。
【００１１】
【発明の実施の形態】
図１には本発明に係るシフトレバー装置の照明構造が適用されたシフトレバー装置１０の概略内部構成が断面図にて示されており、また、図２にはシフトレバー装置１０の主要部が斜視図にて示されている。さらに、図３にはシフトレバー装置１０の概略構成が斜視図にて示されている。
【００１２】
シフトレバー装置１０はシフトレバー１２を備えている。シフトレバー１２は下部において図示しない車両の自動変速機に連結されており、シフトレバー１２をシフト操作することにより、自動変速機の変速モード（レンジ）が変更される。
【００１３】
また、シフトレバー装置１０はハウジング１６を備えており、ハウジング１６の上面には車両前後方向に向けて長手とされた案内孔１７が形成されている。この案内孔１７にはシフトレバー１２が貫通しており、シフトレバー１２を案内孔１７に沿って前後に移動させてシフト操作される。さらに、ハウジング１６の上面には案内孔１７の側方にインジケータプレート１８が設けられており、インジケータプレート１８には複数の表示窓２２が設けられている。また、インジケータプレート１８には表示窓２２の側方において、「Ｐ」、「Ｒ」、「Ｎ」、「Ｄ」等のシフトレンジを示す文字が記載されており（以下、この部分を「シフトレンジ表示部２０」という）、このインジケータプレート１８のシフトレンジ表示部２０と複数の表示窓２２は後に詳述するシフト位置表示用となっている。
【００１４】
ハウジング１６の裏面であって案内孔１７の下方にはカバースライド１９が設けられており、カバースライド１９にはシフトレバー１２が挿通され、これにより、カバースライド１９はシフトレバー１２に常に連動して移動する。
【００１５】
カバースライド１９には、マーク部材１４が一体的に設けられている。これにより、マーク部材１４はカバースライド１９と共にシフトレバー１２に常に連動して移動する。また、マーク部材１４は赤色のシール等が貼られると共に、インジケータプレート１８の表示窓２２の裏面側に所定間隔離間して対向して位置している。したがって、シフトレバー１２がシフト操作されると、各シフト位置に応じた表示窓２２の直下にマーク部材１４が位置し、これにより、赤色のシール等が貼られたマーク部材１４が表示窓２２を介して外部から視認できるようになり、シフトレバー１２のシフト位置が表示される。
【００１６】
また、インジケータプレート１８のシフトレンジ表示部２０の直下には光源としてのランプ３０が配置されている。ランプ３０はライトボックス２４の底部に収容されており、このライトボックス２４は上部がシフトレンジ表示部２０に対応して矩形状に開口している。これにより、ライトボックス２４によってランプ３０からの光がシフトレンジ表示部２０を直接照明する。また、ライトボックス２４のシフトレバー１２側の側壁２６は表示窓２２とシフトレンジ表示部２０の中間に位置しており、この側壁２６によってランプ３０が表示窓２２を直接照明することを防止している。また、ライトボックス２４のシフトレバー１２側の側壁２６とインジケータプレート１８との間には隙間３２が設けられており、これにより、ランプ３０からの光はインジケータプレート１８の裏面３４によって部分的に反射されてその反射光がこの隙間３２を介してマーク部材１４に照射される。このため、マーク部材１４が照明され、夜間でもシフトレバー１２のシフト位置を視認できる構成である。
【００１７】
ライトボックス２４のシフトレバー１２側の側壁２６には、この側壁２６と一体になった状態で反射壁３６が形成されている。反射壁３６はマーク部材１４の直下に位置すると共に、インジケータプレート１８（表示窓２２）に水平な方向に対し下方へ向けて４５度傾斜されている。これにより、インジケータプレート１８の裏面３４によって反射される光のうちマーク部材１４に照射される光以外の光を、反射壁３６がシフトレバー１２の側へ向けて反射する。このため、このマーク部材１４に照射される光以外の光がシフトレバー１２の下部方向へ漏れるのを防止でき、これにより、シフトレバー１２の下部近傍に設けられた内部機械（自動変速機等）が不要に照明されてこの内部機械が見えることを防止できる。またこのため、直下にマーク部材１４が位置しない表示窓２２から前記反射光が漏れ出すことを防止できる構成である。
【００１８】
次に、本実施の形態の作用を説明する。
【００１９】
以上の構成のシフトレバー装置１０では、ライトボックス２４によりランプ３０からの光がインジケータプレート１８のシフトレンジ表示部２０を直接照明すると共に、ライトボックス２４の側壁２６によってランプ３０が表示窓２２を直接照明することを防止している。また、図１に示す如く、ランプ３０からの光はインジケータプレート１８の裏面３４によって部分的に反射され、その反射光Ｘがライトボックス２４の側壁２６とインジケータプレート１８との間の隙間３２を介してマーク部材１４へ照射される。このため、マーク部材１４が照明され、夜間でもシフトレバー１２のシフト位置が視認できる。
【００２０】
ここで、マーク部材１４の直下に位置する反射壁３６はインジケータプレート１８（表示窓２２）に水平な方向に対し下方へ向けて４５度傾斜されている。これにより、図１に示す如く、インジケータプレート１８の裏面３４によって反射されたランプ３０からの光のうちマーク部材１４に照射される光以外の光Ｙは、反射壁３６によってシフトレバー１２の側へ向けて反射される。このため、このマーク部材１４に照射される光以外の光Ｙがシフトレバー１２の下部方向へ漏れるのを防止でき、これにより、シフトレバー１２の下部近傍に設けられた内部機械（自動変速機等）が不要に照明されてこの内部機械が見えることを防止できる。またこのため、直下にマーク部材１４が位置しない表示窓２２から前記反射光が漏れ出すことがなく、マーク部材１４を鮮明に照明できる。
【００２１】
なお、本実施の形態では、反射壁３６をインジケータプレート１８（表示窓２２）に水平な方向に対し下方へ向けて４５度傾斜させたが、これに限らず、インジケータプレート１８の裏面３４によって反射されたランプ３０からの光のうちマーク部材１４に照射される光以外の光を反射壁３６がシフトレバー１２の側へ向けて反射できれば、反射壁３６の傾斜角度は何度でもよい。
【００２２】
【発明の効果】
本発明のシフトレバー装置の照明構造によれば、反射壁はインジケータプレートによって反射される光源からの光のうちマーク部材へ照射される光以外の光を反射するため、直下にマーク部材が位置しない表示窓から反射壁による反射光が漏れ出すことがなく、マーク部材を鮮明に照明できるという優れた効果を有する。
【図面の簡単な説明】
【図１】本発明に係るシフトレバー装置の照明構造が適用されたシフトレバー装置の概略内部構成を示す断面図である。
【図２】シフトレバー装置の主要部の斜視図である。
【図３】シフトレバー装置の概略構成を示す斜視図である。
【符号の説明】
１０        シフトレバー装置
１２        シフトレバー（レバー）
１４        マーク部材
１８        インジケータプレート
２２        表示窓
２４        ライトボックス
２６        側壁
３０        ランプ（光源）
３６        反射壁
【図１】
0003727486.tif 000002
【図２】
0003727486.tif 000003
【図３】
0003727486.tif 000004